(57)【特許請求の範囲】
【請求項１】
固定枠体１の側面部に固着され、軸受端部２ａに上下方向の軸孔３を形成したベース２と；閉鎖位置にある扉４の正面部に対面配置され、軸受端部５ａに上下方向の軸孔６を形成したフロントガード５と；ベース２の軸孔３とフロントガード５の軸孔６に挿入され、フロントガード５をベース２に対し回転可能に連結する枢軸７と；フロントガード５の下面部に埋め込み固着され、ロータ９に連動装備したデッドボルト１０がベース２の軸受端部２ａの錠止凹部１１に係合して、フロントガード５の上方移動を阻止する錠前ユニット８とからなり、ベース２の軸受端部２ａに制止受溝１２を形成し、フロントガード５の軸受端部５ａに制止突起１３を形成し、扉４が閉鎖位置にあるとき、制止突起１３を制止受溝１２に係合させてフロントガード５を回転不能に拘束し、フロントガード５の上方移動によって制止突起１３を制止溝１２から脱出させるようにした自動販売機等の扉用ガード装置。
【請求項２】
デッドボルト１０の上方側位置と下方側位置の２箇所において前記制止溝１２と制止突起１３を設けたことを特徴とする請求項１に記載の自動販売機等の扉用ガード装置。
【請求項３】
フロントガード５に左右横方向のガイド溝３８を形成し、該ガイド溝３８に収容したデッドボルト１０をバネ部材４１によってベース２の軸受端部２ａに向かって移動付勢し、フロントガード５を扉４の正面部に対面配置した後、フロントガード５を下方移動したとき、デッドボルト１０の先端部が前記軸受端部２ａの錠止凹部１１に自動的に係合するようにしたことを特徴とする請求項１または請求項２に記載の自動販売機等の扉用ガード装置。
【発明の詳細な説明】
【０００１】
【発明が属する技術分野】
本発明は自動販売機等の扉を不法な抉じ開けから防護するために使用される扉用ガード装置に関するものである。
【０００２】
【従来の技術】
夜間の監視が行き届かない屋外設置の自動販売機は、内部に相当金額の商品と売上金が格納されているため、盗犯者の格好のターゲットにされている。
自動販売機には、扉を閉鎖位置において自動販売機の固定枠体に施錠するロックハンドル装置が扉正面に装着されているが、この扉用ロックハンドル装置の錠前ユニットは、ピッキング用具による不正解錠や電動ドリルなどの工具による不正破錠の攻撃を受けている。
【０００３】
これらの不正解錠や不正破錠の対策は種々講じられているが、盗犯者側との鼬ごっこであり万全ではない。そのため、主たる扉用ロックハンドル装置のほかに補助ロック装置やガード装置を装着することによって、犯行に着手してから完了に至るまでの所要時間を長くなるように設定し、その間に発見される危険性を増倍させて盗犯者が立ち去るように仕向けることが行なわれている。
【０００４】
しかしながら、犯行の遅延化のために装備される扉用ガード装置であっても、商品の補給や売上金の回収のために巡回している管理担当者の業務をいたずらに煩雑化させるものであってはならない。
【０００５】
【発明が解決しようとする課題】
したがって本発明の目的は、扉の不法開放に対して必要充分な防護機能を有するとともに、正当権限者であれば簡単な操作によって防護機能を解除できるため、商品補給や売上金回収といった日常業務を過度に煩雑化させることがない扉用ガード装置を提供することである。
【０００６】
【課題を解決するための手段】
以下、添付図面中の参照符号を用いて説明すると、請求項１の発明の自動販売機等の扉用ガード装置は、固定枠体１の側面部に固着され、軸受端部２ａに上下方向の軸孔３を形成したベース２と；閉鎖位置にある扉４の正面部に対面配置され、軸受端部５ａに上下方向の軸孔６を形成したフロントガード５と；ベース２の軸孔３とフロントガード５の軸孔６に挿入され、フロントガード５をベース２に対し回転可能に連結する枢軸７と；フロントガード５の下面部に埋め込み固着され、ロータ９に連動装備したデッドボルト１０がベース２の軸受端部２ａの錠止凹部１１に係合して、フロントガード５の上方移動を阻止する錠前ユニット８とからなる。
ベース２の軸受端部２ａには制止受溝１２を形成し、フロントガード５の軸受端部５ａには制止突起１３を形成し、扉４が閉鎖位置にあるとき、制止突起１３を制止受溝１２に係合させてフロントガード５を回転不能に拘束し、フロントガード５の上方移動によって制止突起１３を制止溝１２から脱出させる。
【０００７】
請求項２の発明では、請求項１の発明の前記構成に加えて、デッドボルト１０の上方側位置と下方側位置の２箇所において前記制止溝１２と制止突起１３を設ける。
【０００８】
請求項３の発明では、請求項１または請求項２の発明の前記構成に加えて、フロントガード５に左右横方向のガイド溝３８を形成し、該ガイド溝３８に収容したデッドボルト１０をバネ部材４１によってベース２の軸受端部２ａに向かって移動付勢し、フロントガード５を扉４の正面部に対面配置した後、フロントガード５を下方移動したとき、デッドボルト１０の先端部が前記軸受端部２ａの錠止凹部１１に自動的に係合させる。
【０００９】
【発明の作用】
請求項１の発明においてベース２は通常、蝶番取付側の端部とは反対側の端部において固定枠体１の側面部に固着される。正当権限のある管理担当者は、錠前ユニット８の鍵１５を割り当てられている。商品補給等を終了した管理担当者は蝶番軸（図示していない）を中心に扉４を閉鎖回転させた後、主たる扉用ロックハンドル装置（図示していない）にとって扉４を固定枠体１に対して施錠する。
【００１０】
扉４の施錠後、枢軸７を中心にフロントガード５を所定方向に回転させ、フロントガード５を扉４の正面部に対面配置する。この対面配置後に枢軸７に沿ってフロントガード５を下方移動させ、フロントガード５の制止突起１３をベース２の制止受溝１２に係合させることによって、フロントガード５をベース２に対して回転不能に拘束する。
【００１１】
フロントガード５の回転拘束後、鍵１５を錠前ユニット８のロータ９の鍵孔１６に挿入し、鍵１５を所定方向に回転させてデッドボルト１０をベース２の端部の錠止凹部１１に係合させ、フロントガード５の上方移動を阻止する。これによって扉４の抉じ開けを阻止する防護機能が発動する。その後、管理担当者は鍵１５を錠前ユニット８から抜き取って次の巡回場所に移動する。
【００１２】
扉の前記防護機能を解除するには、鍵１５を錠前ユニット８のロータ９の鍵孔１６に挿入し、鍵１５を前記とは逆方向に回転させてデッドボルト１０をベース２の錠止凹部１１から離脱させることによって、フロントガードの上方移動に対する拘束を解く。その後、枢軸７に沿ってフロントガード５を上方移動させ、フロントガード５の制止突起１３をベース２の制止受溝１２から離脱させることによって、フロントガード５の回転拘束を解く。
フロントガード５を枢軸７を中心に扉４の正面側から退避回転させた後、扉４を前記蝶番軸を中心に開放回転させる。
【００１３】
請求項２の発明では、前記したように枢軸７を中心にフロントガード５を所定方向に回転させ、フロントガード５を扉４の正面部に対面配置させた後、枢軸７に沿ってフロントガード５を下方移動させると、上下２箇所においてフロントガード５の制止突起１３がベース２の制止溝１２に係合する。そして、前記したように鍵１５を所定方向に回転させてデッドボルト１０をベース２の端部の錠止凹部１１に係合させる。
【００１４】
請求項３の発明では、前記したように枢軸７を中心にフロントガード５を所定方向に回転させ、フロントガード５を扉４の正面部に対面配置した後、枢軸７に沿ってフロントガード５を下方移動させると、フロントガード５の制止突起１３がベース２の制止受溝１２に係合するのと同時に、デッドボルト１０がベース２の端部の錠止凹部１１に自動的に係合する。
【００１５】
【発明の実施の形態】
図示の実施例では、ベース２の制止受溝１２は軸孔３と同心の円弧状に上下２個形成されている。フロントガード５の制止突起１３は軸孔６と同心の扇形状に上下２個形成されている。フロントガード５の上位側の軸受端部５ａは、枢軸７の打撃による抜き取りを防止するために枢軸７の上端面を閉塞するように張出しており、上位の軸孔６は該軸受端部５ａの下面側に非貫通孔として形成されている。枢軸７の脱落防止のために、フロントガード５の下位側の軸受端部５ａに形成した横方向の受孔１８には、ロックピン１９が打ち込まれ、ロックピン１９は枢軸７の側面孔２０を貫通している。
【００１６】
ベース２の上位側の軸受端部２ａには上下方向のガイド孔１７が貫通して形成されており、ガイド孔１７にはフロントガード５の下位側の軸受端部５ａに押される軸カラー１４を嵌めてあり、軸孔３は該軸カラー１４に形成されている。
ベース２側の制止受溝１２は、軸受端部２ａの上面側に陥没形成されており、フロントガード５側の制止突起１３は、軸受端部５ａの下面側に突出形成されている。
【００１７】
ベース２の背面側に形成した非貫通孔のねじ孔２１には植込みボルト２２がねじ込まれ、ボルト２２はスペーサ２３を通して固定枠体１の側面壁板部２４の受孔２５に挿通される。ボルト２２には固定枠体１の内部空間側からナット２６が嵌められ、ベース２はスペーサ２３を介して固定枠体１に締付け固着される。
フロントガード５の先端部には、扉４の表面の損傷を防止するために、パッキング板２７がビス２８によって固着されている。
【００１８】
錠前ユニット８は、不正解錠や不正破錠を困難にするためにフロントガード５の下面部に埋め込み装着されている。錠前ユニット８の固定本体２９の胴部断面は所謂小判形に形成されており、該固定本体２９はフロントガード５の同形の取付孔３０に相対回転不能に挿入されている。固定枠体２９の外周ねじ部３１には固定リング３２が嵌められ、フロントガード５の背面側開口３３に挿入されたＵ字状組立金具３４の内面突起３５が、固定リング３２の外周溝３６に係合することによって、錠前ユニット８はフロントガード５からの抜き取りを阻止されている。Ｕ字状組立金具３４はビス４４によってフロントガード５の壁部５ｂに締付け固着されている。
【００１９】
錠前ユニット８は公知のピンタンブラ錠機構を内蔵しており、ロータ９の後端部の非円形軸部９ａにはカム円盤３７が相対回転不能に嵌められている。角棒状のデッドボルト１０は、フロントガード５のガイド溝３８に左右横方向に進退するように嵌められており、デッドボルト１０の側面部に形成した受動溝３９には、カム円盤３７に偏心して設けた駆動突起４０が係合している。鍵１５によってロータ９を回すと、駆動突起４０が受動溝３９の内壁面３９ａ，３９ｂを押すことによって、デッドボルト１０がベース２側の錠止凹部１１と係脱する。デッドボルト１０は圧縮コイルバネ型のバネ部材４１によってベース２の軸受端部２ａに向かって突出付勢されている。
デッドボルト１０の下面に形成された前記受動溝３９は、内壁面３９ａ，３９ｂ間にデッドボルト１０の長さ方向に一定の幅を有するものであり、フロントガード５を扉４の正面部に対面配置した後、フロントガード５を下方移動したとき、デッドボルト１０の先端部が前記軸受端部２ａの錠止凹部１１に自動的に係合するように、カム円盤３７に駆動突起４０が配置されている。
【００２０】
錠前ユニット８やデッドボルト１０、カム円盤３７、圧縮コイルバネ４１の組み込みが完了した後、フロントガード５の背面開放部は閉塞板４２によって閉じられ、閉塞板４２にビス４３によってフロントガード５に締付け固着される。
ベース２の軸受端部２ａとフロントガード５の軸受端部５ａは互いに入り組んで嵌合されており、フロントガード５は、制止突起１３がベース２の制止受溝１２から離脱するための上方移動は可能であるが、ベース２から分離できないように枢軸７によって連結されている。
フロントガード５の下位側の軸受端部５ａの上面がベース２の上位側の軸受端部２ａの下面に当接することによって、フロントガード５の上方移動の限界が設定されている。
【００２１】
【発明の効果】
以上のように請求項１の発明の扉用ガード装置では、扉４が閉鎖位置にあるとき、フロントガード５の制止突起１３がベース２の制止受溝１２に係合することによって、フロントガード５がベース２に対して回転不能に拘束される一方、錠前ユニット８のロータ９に連動装備したデッドボルト１０がベース２の錠止凹部１１に係合することによって、フロントガード５の上方移動が阻止され、これによって制止突起１３と制止受溝１２が係合状態に保持されるものであるから、扉４の不法開放を阻止するのに必要充分な防護機能が確実に得られる。
【００２２】
この防護機能を解錠するには、鍵１５を錠前ユニット８に挿入してロータ９を回し、デッドボルト１０をベース２の錠止凹部１１から離脱させた後、枢軸７に沿ってフロントガード５を上方移動させ、フロントガード５を枢軸７を中心に扉４の正面側から退避回転させるだけであるから、操作は簡単かつ迅速になされ、自動販売機等の管理担当者の日常業務をいたずらに煩雑化させたり、遅延させることがない。
【００２３】
請求項２の発明では、請求項１の発明の前記効果に加えて、デッドボルト１０の上方側位置と下方側位置の２箇所において前記制止溝１２と制止突起１３を設けてあるため、フロントガード５は、これら２箇所の制止突起１３とデッドボルト１０の合計３箇所においてベース２に対して回転拘束されることになり、扉４を不法な開放から防護する機能が増強される。
【００２４】
請求項３の発明では、請求項１または請求項の発明の前記効果に加えて、フロントガード５を扉４の正面部に対面配置した後、フロントガード５を下方移動したとき、デッドボルト１０の先端部が前記軸受端部２ａの錠止凹部１１に自動的に係合するため、扉用ガード装置の取扱操作錠の利便性に優れている。
【図面の簡単な説明】
【図１】  本発明の一実施例に係る扉用ガード装置の正面図であり、防護機能の発動状態を示している。
【図２】  図１の扉用ガード装置の平面図である。
【図３】  図１の扉用ガード装置の右側面図である。
【図４】  図１の扉用ガード装置の底面図である。
【図５】  図１のＡ−Ａ線断面図である。
【図６】  図２のＢ−Ｂ線断面図である。
【図７】  図１のＣ−Ｃ線断面図である。
【図８】  図１のＤ−Ｄ線断面図である。
【符号の説明】
１  固定枠体
２  ベース
２ａ  軸受端部
３  軸孔
４  扉
５  フロントガード
５ａ  軸受端部
６  軸孔
７  枢軸
８  錠前ユニット
９  ロータ
１０  デッドボルト
１１  錠止凹部
１２  制止受溝
１３  制止突起
１４  軸カラー
１５  鍵
１６  鍵孔
【図１】
0003645217.tif 000002
【図２】
0003645217.tif 000003
【図３】
0003645217.tif 000004
【図４】
0003645217.tif 000005
【図５】
0003645217.tif 000006
【図６】
0003645217.tif 000007
【図７】
0003645217.tif 000008
【図８】
0003645217.tif 000009